【事件の表示】
　平成　８年特許願第１６４２８８号「情報処理装置および方法」拒絶査定不服審判事件〔平成１０年　１月１６日出願公開、特開平１０−　１３７７９〕について、次のとおり審決する。
【結　論】
　本件審判の請求は、成り立たない。
【理　由】
　
第１　経緯
　
１　手続
　本願は、平成８年６月２５日の出願であって、平成１７年５月１９日付けで拒絶査定された。
　本件は、本願についてされた上記拒絶査定を不服とする平成１７年６月２３日の審判請求であり、平成１７年７月２２日付けで手続補正書が提出された。
　
２　査定
　原査定の理由は、概略、以下のとおりである。
　　　　　　　　　　　　　　　理　由
　本願の請求項１ないし６に係る発明は、下記刊行物１ないし５に記載された発明および周知技術に基づいて当業者が容易に発明をすることができたものであるから、特許法第２９条第２項の規定により、特許を受けることができない。
　　　　　　　　　　　　　　　　記
　刊行物１：特開平８−１３９９８０号公報
　刊行物２：特開平７−２３１４０１号公報
　刊行物３：特開平６−９８２５１号公報
　刊行物４：特開平４−１７９３７９号公報
　刊行物５：特開平２−９７１７７号公報
　周知例：特開平３−１８８７７２号公報
　
　
第２　補正の却下の決定
　平成１７年７月２２日付けの手続補正（以下「本件補正」という）について、以下のとおり決定する。
　
［結論］
　平成１７年７月２２日付けの手続補正を却下する。
　
［理由］
　
１　本件補正の内容
　本件補正は、本件補正前、平成１６年１１月１日付け手続補正書により補正された特許請求の範囲の請求項１及び４についてする補正であって、「制御手段」の「駆動回路に電圧を充電するように制御する」とする処理に対し、「前記指示手段により電力供給が指示されると」とする開始条件を付加する補正を含むものである。
　
２　本件補正の適合性
　
（１）補正の範囲（第１７条の２第３項）
　本件補正は、願書に最初に添付した明細書の段落【００８４】〜【００８６】、【００９８】及び第６〜８図の記載に基づくものであるから、願書に最初に添付した明細書又は図面に記載した事項の範囲内においてする補正である。
　
（２）補正の目的（第１７条の２第４項第１号〜第４号）
　新請求項１、４は、旧請求項１、４の「制御手段」を限定したものといえる。
　そして、補正の前後において産業上の利用分野及び解決しようとする課題は同一であるから、本件補正は、特許請求の範囲の減縮に該当する。
　
（３）独立特許要件（第１７条の２第５項）
　本件補正は、特許請求の範囲の減縮を目的とするものである。そこで検討をする。
　
ア　補正後の本願発明
　本件補正後の請求項１に記載される発明（以下「本願補正発明」という）は、以下のとおりのものである。
「情報を入力する入力手段と、
　前記入力手段により入力された情報を記憶する記憶手段と、
　前記入力手段に電力を供給する電源手段と、
　前記入力手段への電力供給を指示する指示手段と、
　前記入力手段により入力された情報を前記記憶手段に記憶可能な第１モードと、前記記憶手段に記憶された情報を再生する第２モードとを切り換え可能なモード切り換え手段と、
　被写体を照明する照明手段を駆動する駆動回路に、前記照明手段を駆動させるために必要な電圧の充電を制御する制御手段と、
　を備え、
　前記モード切り換え手段は、前記指示手段により電力供給が指示されると、前記第１モードに切り換え、
　前記制御手段は、前記指示手段により電力供給が指示されると、予め設定された電圧が充電されるか、または前記モード切り換え手段により前記第１モードから前記第２モードへの切り換えが行われるまで、前記駆動回路に電圧を充電するように制御する
　ことを特徴とする情報処理装置。」
　
イ　刊行物
　
（ア）刊行物１の記載
　原査定の拒絶の理由に引用された上記刊行物１には、図面と共に以下の事項が記載されている。
　
ａ「本発明の撮像装置は電子カメラに適用される。」（段落【００２０】）
　
ｂ「１Ｄは電源である。」（段落【００２１】）
　
ｃ「１０はレンズ、１１は入射光量を調整するための絞り、１２はＣＣＤなどのイメージセンサ」（段落【００２９】）
　
ｄ「１８はカメラシステム全体を制御するシステムコントローラ、１９は撮影された映像信号を記憶する映像記憶回路としてのメモリであり、Ａ／Ｄ変換器１６でディジタル化された映像信号はシステムコントローラ１８により制御されるメモリ１９に記憶される。」（段落【００３１】）
　
ｅ「５ａ、５ｂは発光ダイオードであり、システムコントローラ１８に接続されて
ストロボの充電完了
再生時
記録画像を選択する
　
ｆ「セレクトスイッチ７ａおよび７ｂで
記録画像の再生時
　
ｇ「また、モードスイッチ７ｃで記録、再生、消去の切換を行ない、
電源スイッチ２がオンになった時点で記録モードに設定されているのを
モードスイッチ７ｃが１回押される毎に記録→再生→消去→記録と切り換わる
ストロボの発光の有無の切換
　
（イ）刊行物１発明
　
ａ　電源１ＤとＣＣＤ１２
　刊行物１には、上記（ア）ｂ、ｃ 、第１、２図によれば、「電源１Ｄ」と「ＣＣＤ１２」の存在が認められるものの、両者の関係について格別な記載は無いところ、ＣＣＤを駆動するのに電力が必要なことは技術常識であるから、電源スイッチ２がオンになると、電源１ＤからＣＣＤ１２に電力が供給されるのは普通である。
　
ｂ　再生とモード
　上記（ア）ｇ には「モードスイッチ７ｃが１回押される毎に記録→再生→消去→記録と切り換わる」とする記載と「記録モード」との記載があり、「モードスイッチ７ｃ」とされた名称からしても、その「モードスイッチ７ｃ」で切り換えられる「記録」、「再生」、「消去」が、いずれも「モード」であることは明らかである。
　また、上記（ア）ｆ には「記録画像の再生時」とあり、上記（ア）ｅ には「再生時・・・に記録画像を選択する」とあり、上記（ア）ｄ には、撮影された映像信号がメモリ１９に記憶されるとあるから、上記「再生モード」において再生されるのは、メモリ１９に記憶された映像信号であることが明らかである。
　さらに、上記（ア）ｇ には「モードスイッチ７ｃが１回押される毎に記録→再生→消去→記録と切り換わるようにシステムコントローラ１８に信号が供給される。」とあり、上記（ア）ｄには「１８はカメラシステム全体を制御するシステムコントローラ」とあるから、「システムコントローラ１８」は、「モードスイッチ７ｃ」から供給される信号に応じて、カメラシステムを「記録モード」、「再生モード」、「消去モード」のいずれかに切り換える機能を有することが明らかである。
　以上から、「システムコントローラ１８」は、「ＣＣＤ１２により撮影された映像信号をメモリ１９に記憶する記録モードと、メモリに記憶された映像信号を再生する再生モードとを、モードスイッチ７ｃからの信号に応じて切り換える」ものといえる。
　
ｃ　発光部２５とストロボ回路２６
　刊行物１には、第２図の「発光部２５」及び「ストロボ回路２６」について格別な説明はない。
　しかし、ストロボを発光させるには、ストロボを発光する手段と、ストロボを発光する手段を駆動する駆動回路と、駆動回路にストロボを発光する手段を駆動させるために必要な電圧の充電を制御する制御手段が必要なことは技術常識である。
　上記（ア）ｇに「ストロボスイッチ７ｄはストロボの発光の有無の切換を行なって１回押される毎に発光するか発光しないかが切り換わるようにシステムコントローラ１８に信号が供給される。」とあるように、ストロボを発光する手段の存在が認められる以上、「発光部２５」は、その名称からして「ストロボを発光する手段」に対応し、「ストロボ回路２６」は、その名称からして「ストロボを発光する手段（発光部２５）を駆動する駆動回路」に対応することが当業者には明らかである。
　また、上記（ア）ｅに「５ａ、５ｂは発光ダイオードであり、システムコントローラ１８に接続されてストロボの充電完了・・・などの表示を行なう。」とあるように、ストロボの充電完了を検知する機能の存在が認められる以上、「駆動回路（ストロボ回路２６）にストロボを発光する手段（発光部２５）を駆動させるために必要な電圧の充電を制御する制御手段」の存在も認められる。
　
ｄ　電源スイッチ２と記録モード
　上記（ア）ｇには「モードスイッチ７ｃで記録、再生、消去の切換を行ない、電源スイッチ２がオンになった時点で記録モードに設定されているのを、モードスイッチ７ｃが１回押される毎に記録→再生→消去→記録と切り換わるようにシステムコントローラ１８に信号が供給される。」とあるから、電源スイッチ２がオンになった時点で、記録モードが設定されることは明らかであり、その設定が、システムコントローラ１８によりなされることは上記（イ）ｂで認定したとおりである。
　
ｅ　まとめ
　以上の（イ）ａ〜ｄに加え、上記（ア）ａ〜ｇの記載及び第１〜４図によれば、刊行物１記載の発明(以下「刊行物１発明」という)として、以下のとおりのものを認定することができる。
「ＣＣＤ１２と（上記（ア）ｃ）、
　ＣＣＤ１２により撮影された映像信号を記憶するメモリ１９と（上記（ア）ｄ）、
　ＣＣＤ１２に電力を供給する電源１Ｄと（上記（イ）ａ）、
　ＣＣＤ１２への電力供給を指示する電源スイッチ２と（上記（イ）ａ）、
　ＣＣＤ１２により撮影された映像信号をメモリ１９に記憶する記録モードと、メモリに記憶された映像信号を再生する再生モードとを、モードスイッチ７ｃからの信号に応じて切り換えるシステムコントローラ１８と（上記（イ）ｂ）、
　ストロボを発光する発光部２５と（上記（イ）ｃ）、
　発光部２５を駆動するストロボ回路２６と（上記（イ）ｃ）、
　ストロボ回路２６に発光部２５を駆動させるために必要な電圧の充電を制御する制御手段と（上記（イ）ｃ）を備え、
　システムコントローラ１８は、電源スイッチ２がオンになった時点で、記録モードを設定する（上記（イ）ｄ）
　電子カメラ（上記（ア）ａ）。」
　
ウ　対比
　本願補正発明と刊行物１発明を対比する。
　
（ア）「入力手段」
　本願補正発明でいう「情報を入力する入力手段」は、本件補正後の請求項２の記載によれば、「撮像手段」を有するものを含むものであるところ、刊行物１発明の「ＣＣＤ１２」も撮像手段であるから、刊行物１発明の「ＣＣＤ１２」は、本願補正発明でいう「情報を入力する入力手段」に相当する。
　
（イ）「記憶手段」
　刊行物１発明の「ＣＣＤ１２により撮影された映像信号を記憶するメモリ１９」が、本願補正発明でいう「前記入力手段により入力された情報を記憶する記憶手段」に相当することは、明らかである。
　
（ウ）「電源手段」
　刊行物１発明の「ＣＣＤ１２に電力を供給する電源１Ｄ」が、本願補正発明でいう「前記入力手段に電力を供給する電源手段」に相当することは、明らかである。
　
（エ）「指示手段」
　刊行物１発明の「ＣＣＤ１２への電力供給を指示する電源スイッチ２」が、本願補正発明でいう「前記入力手段への電力供給を指示する指示手段」に相当することは、明らかである。
　
（オ）「モード切り換え手段」（その１）
　刊行物１発明の「ＣＣＤ１２により撮影された映像信号をメモリ１９に記憶する記録モード」、「メモリに記憶された映像信号を再生する再生モード」が、本願補正発明でいう「前記入力手段により入力された情報を前記記憶手段に記憶可能な第１モード」、「前記記憶手段に記憶された情報を再生する第２モード」にそれぞれ相当することは、明らかである。
　よって、刊行物１発明の「ＣＣＤ１２により撮影された映像信号をメモリ１９に記憶する記録モードと、メモリに記憶された映像信号を再生する再生モードとを、モードスイッチ７ｃからの信号に応じて切り換えるシステムコントローラ１８」は、本願補正発明でいう「前記入力手段により入力された情報を前記記憶手段に記憶可能な第１モードと、前記記憶手段に記憶された情報を再生する第２モードとを切り換え可能なモード切り換え手段」に相当する。
　
（カ）「制御手段」（その１）
　刊行物１発明の「ストロボを発光する発光部２５」、「発光部２５を駆動するストロボ回路２６」、「ストロボ回路２６に発光部２５を駆動させるために必要な電圧の充電を制御する制御手段」が、本願補正発明でいう「被写体を照明する照明手段」、「照明手段を駆動する駆動回路」、「駆動回路に、前記照明手段を駆動させるために必要な電圧の充電を制御する制御手段」にそれぞれ相当することは、明らかである。
　
（キ）「モード切り換え手段」（その２）
　刊行物１発明の「システムコントローラ１８は、電源スイッチ２がオンになった時点で、記録モードを設定する」とする構成は、本願補正発明でいう「前記モード切り換え手段は、前記指示手段により電力供給が指示されると、前記第１モードに切り換え」とする構成に相当する。
　
（ク）「制御手段」（その２）
　刊行物１発明の「制御手段」による「ストロボ回路２６に発光部２５を駆動させるために必要な電圧の充電を制御する」とする処理は、「前記駆動回路に電圧を充電する」ものといえる限りにおいて、本願補正発明と相違しない。
　もっとも、刊行物１発明では、「前記駆動回路に電圧を充電する」とする処理に対し、如何なる開始条件を付すのか不明である。この点、「電源スイッチ２がオンにされると」とする開始条件を付す本願補正発明とは相違する。
　また、刊行物１発明では、「前記駆動回路に電圧を充電する」とする処理に対し、如何なる終了条件を付すのか不明である。この点、「予め設定された電圧が充電されるか、または前記モード切り換え手段により前記第１モードから前記第２モードへの切り換えが行われるまで」とする終了条件を付す本願補正発明とは相違する。
　
（ケ）「情報処理装置」について
　本願補正発明でいう「情報を入力する入力手段」が、「撮像手段」を有するものを含むものであることは上記ウ（ア）のとおりであり、しかも、本願補正発明の「情報処理装置」は、発明の詳細な説明の段落【０００１】に「【発明の属する技術分野】本発明は、情報処理装置に関し、例えば、被写体の画像をディジタルデータに変換して記録する電子カメラ等に用いて好適な情報処理装置に関する。」とあるように、「電子カメラ」に用いられる場合を含むものであるから、刊行物１発明の「電子カメラ」は、本願補正発明でいう「情報処理装置」に相当するといえる。
　
（コ）一致点、相違点
　以上から、本願補正発明と刊行物１発明とは、
［一致点］
「情報を入力する入力手段と、
　前記入力手段により入力された情報を記憶する記憶手段と、
　前記入力手段に電力を供給する電源手段と、
　前記入力手段への電力供給を指示する指示手段と、
　前記入力手段により入力された情報を前記記憶手段に記憶可能な第１モードと、前記記憶手段に記憶された情報を再生する第２モードとを切り換え可能なモード切り換え手段と、
　被写体を照明する照明手段を駆動する駆動回路に、前記照明手段を駆動させるために必要な電圧の充電を制御する制御手段と、
　を備え、
　前記モード切り換え手段は、前記指示手段により電力供給が指示されると、前記第１モードに切り換え、
　前記制御手段は、前記駆動回路に電圧を充電するように制御する
　ことを特徴とする情報処理装置。」
　である点で一致し、次の各点で相違する。
　
［相違点１］
　「前記駆動回路に電圧を充電する」とする処理に対し、本願補正発明では「電源スイッチ２がオンにされると」とする開始条件を付すのに対し、刊行物１発明では、如何なる開始条件を付すのか不明である点。
　
［相違点２］
　「前記駆動回路に電圧を充電する」とする処理に対し、本願補正発明では、「予め設定された電圧が充電されるか、または前記モード切り換え手段により前記第１モードから前記第２モードへの切り換えが行われるまで」とする終了条件を付すのに対し、刊行物１発明では、如何なる終了条件を付すのか不明である点。
　
エ　判断
　上記各相違点について検討する。
　
（ア）［相違点１］について
　一般に、記録モードと再生モードが切り換え可能な電子カメラにおいて、記録モードが設定されると、撮影環境の明るさにかかわらず、ストロボの発光に必要な電圧の充電を開始させるのに対し、再生モードが設定されても、その充電を行わないようにし、係る構成でもって無駄な電力消費を抑制する技術は周知であるから（例えば、下記キ 周知例１〜３参照）、電源スイッチ２がオンになった時点で記録モードを設定する刊行物１発明においても、その周知技術を採用し、電源スイッチ２がオンになった時点で記録モードを設定すると同時に、撮影環境の明るさにかかわらずストロボの発光に必要な電圧の充電を開始させるべく、「前記駆動回路に電圧を充電する」とする処理に対し「電源スイッチ２がオンにされると」とする開始条件を付すことで、「前記制御手段は、前記指示手段により電力供給が指示されると」、「前記駆動回路に電圧を充電するように制御する」とする構成を得ることは、当業者が容易に想到し得たことである。
　
（イ）［相違点２］について
　一般に、ストロボの発光が必要なモードと必要でないモードが切り換え可能なカメラにおいて、ストロボの発光に必要な電圧の充電を、予め設定された電圧が充電されるまで行わせる技術も、ストロボの発光が必要なモードでのみストロボの発光に必要な電圧の充電を行わせ、その充電の途中でストロボの発光が必要でないモードへの切り換えが行われた場合、その充電を中止させるようにし、係る構成でもって無駄な電力消費を抑制する技術も、共に周知であるから（例えば、下記キ 周知例４〜６参照）、刊行物１発明においても、その周知技術を採用し、「前記駆動回路に電圧を充電する」とする処理に対し「予め設定された電圧が充電されるか、または前記モード切り換え手段により前記第１モードから前記第２モードへの切り換えが行われるまで」とする終了条件を付し、係る構成をもって「制御手段」を、「予め設定された電圧が充電されるか、または前記モード切り換え手段により前記第１モードから前記第２モードへの切り換えが行われるまで、前記駆動回路に電圧を充電するように制御する」ものとすることは、当業者が容易に想到し得たことである。
　
オ　効果等
　以上のとおり、上記相違点１、２に係る本願補正発明の構成は、いずれも当業者が容易に想到し得たものであるところ、上記各相違点を総合しても格別の作用効果を奏するものとはいえず、本願補正発明を全体としてみても、その作用効果は、上記刊行物１及び周知技術から当業者が予測できる範囲のものである。
　
カ　まとめ（独立特許要件）
　以上によれば、本願補正発明は、上記刊行物１に記載された発明及び周知技術に基づいて当業者が容易に発明をすることができたものであるから、特許法第２９条第２項の規定により、特許出願の際独立して特許を受けることができない。
　したがって、本件補正は、特許法第１７条の２第５項において準用する同法第１２６条第５項の規定に適合しない。
　
キ　周知例
　
周知例１：特開平３−１９５１８３号公報
　周知例１には、パワースイッチがオン操作されると、記録モードか再生モードかの判定を行い、記録モードと判定されたら、照明手段における発光準備のための充電動作を行い、再生モードと判定されたら、その充電動作を禁止するよう構成することで、無駄な電力消費を抑制する技術が記載されている（第２ページ右上欄第２〜８行、第５ページ左欄第５〜９行、第３図参照）。 
　
周知例２：特開平５−６７８１号公報
　周知例２には、記録モードが選択された状態でパワースイッチをオン状態にすると、ストロボ発光管の発光のための充電をストロボ回路で行うのに対し、再生モードが選択されている状態でパワースイッチをオン状態にしても、ストロボ発光管の発光のための充電を行わないようにした構成が記載されている（段落【００１５】、【００１７】、第４、６、１０図参照）。 
　
周知例３：特開平３−１２０９７１号公報
　周知例３には、記録／再生ボタンを、記録モードにすると、ストロボ装置のコンデンサを充電するのに対し、再生モードにしても、ストロボ装置の充電を行わないようにした構成が記載されている（第４ページ右上欄第９〜１６行参照）。 
　
周知例４：特開平３−１８８７７２号公報(原査定で提示済み)
　周知例４には、ストロボを内蔵し、フィルム画像記録モードを備えたスチルビデオカメラにおいて、フィルム画像記録モードでなければストロボが充電完了状態となるまでストロボ充電を行い、その充電の途中でフィルム画像記録モードに切り換わると、ストロボ充電の完了を待たずにストロボ充電を中止させるようにした構成が記載されている（第４ページ左上欄第１４〜２０行、第３図参照）。
　
周知例５：特開平３−１８７６８２号公報
　周知例５には、ストロボを内蔵し、フィルム画像記録モードを備えたスチルビデオカメラにおいて、フィルム画像記録モードでなければストロボが充電完了状態となるまでストロボ充電を行い、その充電の途中でフィルム画像記録モードに切り換わると、ストロボ充電の完了を待たずにストロボ充電を中止させるようにすることで、電池の無駄な消耗を防止する技術が記載されている（第２ページ左下欄第２０行〜同右下欄第８行、第４ページ左上欄第１０〜１５行、第３図参照）。
　
周知例６：特開平２−３００７３１号公報
　周知例６には、ビデオカメラにおいて、ストロボセットボタン７を押圧するとストロボ発光部８がポップアップし、各コンデンサ２７ａ〜２７ｍが充電され、撮像ボタン１７ａをＯＮすると、各コンデンサ２７ａ〜２７ｍに順次放電と充電とを繰り返させることにより順次ストロボ発光を行わせ、ストロボ発光部８の上部を押圧してストロボ収納部６に収納すると、各コンデンサ２７ａ〜２７ｍへの充電を停止させるようにした構成が記載されている（第３ページ左上欄第６行〜第４ページ左上欄第５行参照）。 
　
（４）むすび
　以上のとおり、本件補正は、特許法第１７条の２第５項の規定に適合しないものであるから、特許法第１５９条第１項の規定において読み替えて準用する同法第５３条第１項の規定により却下すべきものである。
　
　
第３　本願発明
　平成１７年７月２２日付けの手続補正は上記のとおり却下する。
　本願の請求項１に係る発明は、平成１６年１１月１日付け手続補正書により補正された特許請求の範囲の請求項１に記載された事項により特定される、以下のとおりのもの（以下「本願発明」という）である。
「情報を入力する入力手段と、
　前記入力手段により入力された情報を記憶する記憶手段と、
　前記入力手段に電力を供給する電源手段と、
　前記入力手段への電力供給を指示する指示手段と、
　前記入力手段により入力された情報を前記記憶手段に記憶可能な第１モードと、前記記憶手段に記憶された情報を再生する第２モードとを切り換え可能なモード切り換え手段と、
　被写体を照明する照明手段を駆動する駆動回路に、前記照明手段を駆動させるために必要な電圧の充電を制御する制御手段と、
　を備え、
　前記モード切り換え手段は、前記指示手段により電力供給が指示されると、前記第１モードに切り換え、
　前記制御手段は、予め設定された電圧が充電されるか、または前記モード切り換え手段により前記第１モードから前記第２モードへの切り換えが行われるまで、前記駆動回路に電圧を充電するように制御する
　ことを特徴とする情報処理装置。」
　
　
第４　査定の検討
　
１　刊行物
　原査定の拒絶の理由に引用された上記刊行物１には、上記第２ ２（３）イ（ア）に記載したとおりの記載がある。
　そして、刊行物１発明として、上記第２ ２（３）イ（イ）に記載したとおりのものを認定することができる。
　
２　対比
　そこで、本願発明と刊行物１発明とを比較すると、本願補正発明と刊行物１発明との対応関係については、上記第２ ２（３）ウ に記載したとおりであるところ、これを援用する。
　
　本願発明と刊行物１発明とは、
［一致点］
「情報を入力する入力手段と、
　前記入力手段により入力された情報を記憶する記憶手段と、
　前記入力手段に電力を供給する電源手段と、
　前記入力手段への電力供給を指示する指示手段と、
　前記入力手段により入力された情報を前記記憶手段に記憶可能な第１モードと、前記記憶手段に記憶された情報を再生する第２モードとを切り換え可能なモード切り換え手段と、
　被写体を照明する照明手段を駆動する駆動回路に、前記照明手段を駆動させるために必要な電圧の充電を制御する制御手段と、
　を備え、
　前記モード切り換え手段は、前記指示手段により電力供給が指示されると、前記第１モードに切り換え、
　前記制御手段は、前記駆動回路に電圧を充電するように制御する
　ことを特徴とする情報処理装置。」
　である点で一致し、以下の各点で相違する。
　
［相違点］
　「前記駆動回路に電圧を充電する」とする処理に対し、本願発明では、「予め設定された電圧が充電されるか、または前記モード切り換え手段により前記第１モードから前記第２モードへの切り換えが行われるまで」とする終了条件を付すのに対し、刊行物１発明では、如何なる終了条件を付すのか不明である点。
　
３　相違点の判断
　上記相違点について検討するに、上記第２ ２（３）エ で判断したとおりであるから、刊行物１発明においても、「前記駆動回路に電圧を充電する」とする処理に対し「予め設定された電圧が充電されるか、または前記モード切り換え手段により前記第１モードから前記第２モードへの切り換えが行われるまで」とする終了条件を付し、係る構成をもって「制御手段」を、「予め設定された電圧が充電されるか、または前記モード切り換え手段により前記第１モードから前記第２モードへの切り換えが行われるまで、前記駆動回路に電圧を充電するように制御する」ものとすることは、当業者が容易に想到し得たことである。
　
４　効果等
　以上のとおり、上記相違点に係る本願発明の構成は、当業者が容易に想到し得たものであり、その作用効果は、上記刊行物１及び周知技術から当業者が予測できる範囲のものである。
　
５　まとめ（査定の検討）
　したがって、本願発明は、上記刊行物１に記載された発明及び周知技術に基づいて当業者が容易に発明をすることができたものである。
　
　
第５　むすび
　以上のとおり、本願の請求項１に係る発明は、刊行物１に記載された発明に基づいて当業者が容易に発明をすることができたものであるから、残る請求項２ないし６に係る発明について検討するまでもなく、本願は、特許法第２９条第２項の規定により特許を受けることができない。
　したがって、本願は拒絶をすべきものである。
　よって、結論のとおり審決する。